【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
血液流体除去システムの使用方法であって、
初期システムパラメータを用いて血液流体除去セッションを開始するステップと、
１つ以上の生理学的パラメータに関する第一のデータセットを取得するステップと、
現時点で最も効果が高い前記第一のデータセットをデータセットメモリに保存するステップと、
効果が上昇した検索テーブル内の前記初期システムパラメータと前記第一のデータセットとを関連付けるステップと、
前記血液流体除去セッションの少なくとも１つのパラメータを、調節されたシステムパラメータに達するように調節するステップと、
前記血液流体除去セッションの前記少なくとも１つのパラメータを調節した後に、前記１つ以上の生理学的パラメータに関する第二のデータセットを取得するステップと、
前記第二のデータセットの少なくとも１つの値が、前記第一のデータセットの対応する少なくとも１つの値よりも目標値に近い場合、前記現時点で最も効果が高いデータセットメモリ内の前記第一のデータセットを前記第二のデータセットに置き換え、前記第二のデータセットに関するデータを前記効果が上昇した検索テーブルに保存し、前記調節されたシステムパラメータに関するデータと前記第二のデータセットとを関連付けるステップと
を含む使用方法。
【請求項２】
前記第一のデータセットを現時点で最も効果が低いデータセットメモリに保存するステップと、
前記血液流体除去セッションの前記少なくとも１つのパラメータを調節する前に、効果が低下した検索テーブル内の前記初期システムパラメータと前記第一のデータセットとを関連付けるステップと、
前記第二のデータセットの前記少なくとも１つの値が、前記第一のデータセットの前記対応する少なくとも１つの値よりも前記目標値に近くない場合、前記現時点で最も効果が低いデータセットメモリの前記第一のデータセットを前記第二のデータセットに置き換え、前記第二のデータセットに関するデータを前記効果が低下した検索テーブルに保存し、前記調節されたシステムパラメータに関するデータと前記第二のデータセットとを関連付けるステップと
をさらに含む、請求項１に記載の使用方法。
【請求項３】
前記血液流体除去セッションの少なくとも１つのパラメータを、さらに調節されたシステムパラメータに達するようにさらに調節するステップと、
前記血液流体除去セッションの前記少なくとも１つのパラメータをさらに調節した後に、前記１つ以上の生理学的パラメータに関する第三のデータセットを取得するステップと、
前記第三のデータセットの少なくとも１つの値が、前記現時点で最も効果が高いデータセットメモリ内に保存されている対応する少なくとも１つの値よりも前記目標値に近い場合、前記現時点で最も効果が高いデータセットメモリ内の前記データセットを前記第三のデータセットに置き換え、前記第三のデータセットに関するデータを前記効果が上昇した検索テーブルに保存し、前記さらに調節されたシステムパラメータに関するデータと前記第三のデータセットとを関連付けるステップと、
をさらに含む、請求項１に記載の使用。
【請求項４】
前記血液流体除去セッションの少なくとも１つのパラメータを、さらに調節されたシステムパラメータに達するようにさらに調節するステップと、
前記血液流体除去セッションの前記少なくとも１つのパラメータをさらに調節した後に、前記１つ以上の生理学的パラメータに関する第四のデータセットを取得するステップと、
前記第四のデータセットの少なくとも１つの値が、前記現時点で最も効果が低いデータセットメモリ内に保存されている対応する少なくとも１つの値よりも前記目標値に近くない場合、前記現時点で最も効果が低いデータセットメモリ内の前記データセットを前記第四のデータセットに置き換え、前記第四のデータセットに関するデータを前記効果が低下した検索テーブル内に保存し、前記さらに調節されたシステムパラメータに関するデータと前記第四のデータセットを関連付けるステップと
をさらに含む、請求項２に記載の使用方法。
【請求項５】
１つ以上の生理学的パラメータに関する第五のデータセットを取得するステップと、
前記第五のデータセットを前記効果が上昇した検索テーブルと比較するステップと、
前記効果が上昇した検索テーブル内に保存されているデータセットの少なくとも１つのパラメータが前記第五のデータセットの所定の範囲内にある場合、前記効果が上昇した検索テーブルに保存されている前記データセットと関連付けられた前記システムパラメータを調節するステップと
をさらに含む、請求項１に記載の使用方法。
【請求項６】
前記血液流体除去セッションを中止するステップと、
１つ以上の生理学的パラメータに関する第六のデータセットを取得するステップと、
前記第六のデータセットを前記効果が上昇した検索テーブルと比較するステップと、
前記効果が上昇した検索テーブル内に保存されているデータセットの少なくとも１つのパラメータが前記第六のデータセットの少なくとも１つのパラメータの所定の範囲内にある場合、前記効果が上昇した検索テーブルに保存されている前記データセットに関連付けられた前記システムパラメータを用いて第二の血液流体除去セッションを開始するステップと
をさらに含む、請求項５に記載の使用方法。
【請求項７】
前記１つ以上のパラメータの前記少なくとも１つのパラメータが血圧、心拍数、ｐＨおよび電解質濃度からなる群より選択される、請求項１に記載の使用方法。
【請求項８】
前記電解質がカリウムである、請求項７に記載の使用方法。
【請求項９】
前記システムパラメータが流体除去速度および１種類以上の電解質の濃度のうちの１つ以上を含む、請求項１に記載の使用方法。
【請求項１０】
血液流体除去システムであって、
血液流体除去媒体であって、前記媒体に血液が入り、前記血液から流体が除去され、血液が前記媒体を出る、血液流体除去媒体と、
（ｉ）前記媒体が前記血液から流体を除去する速度または（ｉｉ）前記媒体を出る前記血液の電解質濃度もしくはｐＨを制御するよう構成された１つ以上の制御要素と、
前記１つ以上の生理学的パラメータを監視するよう構成された１つ以上のセンサと、
メモリとプロセッサとを含む制御電子機器であって、前記１つ以上のセンサと作動可能に通信可能であり、かつ前記１つ以上の制御要素と作動可能に連結されている制御電子機器と
を含み、
前記制御電子機器が、請求項１に記載の使用方法を実施するよう構成されている、血液流体除去システム。
【請求項１１】
前記血液流体除去媒体および前記制御電子機器が血液流体除去装置内に収納されている、請求項１０に記載のシステム。
【請求項１２】
コンピュータ可読媒体をさらに含み、前記コンピュータ可読媒体が、前記制御電子機器に前記使用方法を実施させる指示を含む、請求項１０に記載のシステム。
【請求項１３】
血液流体除去システムであって、
血液流体除去媒体であって、前記媒体に血液が入り、前記血液から流体が除去され、血液が前記媒体を出る、血液流体除去媒体と、
（ｉ）前記媒体が前記血液から流体を除去する速度または（ｉｉ）前記媒体を出る前記血液の電解質濃度もしくはｐＨを制御するよう構成された１つ以上の制御要素と、
１つ以上の生理学的パラメータを監視するよう構成された１つ以上のセンサと、
メモリとプロセッサとを含む制御電子機器であって、前記１つ以上のセンサと作動可能に通信可能であり、かつ前記１つ以上の制御要素と作動可能に連結されている制御電子機器と
を含み、
前記制御電子機器が、（ｉ）初期システムパラメータを用いて血液流体除去セッションを開始し、（ｉｉ）１つ以上の生理学的パラメータに関する第一のデータセットを取得し、（ｉｉｉ）前記第一のデータセットを現時点で最も効果が高いデータセットメモリに保存し、（ｉｖ）効果が上昇した検索テーブルの前記初期システムパラメータと前記第一のデータセットとを関連付け、（ｖ）前記血液流体除去セッションの少なくとも１つのパラメータを調節されたシステムパラメータに達するように調節し、（ｖｉ）前記血液流体除去セッションの前記少なくとも１つのパラメータを調節した後に、前記１つ以上の生理学的パラメータに関する第二のデータセットを取得し、（ｖｉｉ）前記第二のデータセットの少なくとも１つの値が前記第一のデータセットの対応する少なくとも１つの値よりも目標値に近い場合、前記現時点で最も効果が高いデータセットメモリ内の前記第一のデータセットを前記第二のデータセットに置き換え、前記第二のデータセットに関するデータを前記効果が上昇した検索テーブル内に保存し、前記調節されたシステムパラメータに関するデータと前記第二のデータセットとを関連付ける
よう構成されている、血液流体除去システム。
【請求項１４】
コンピュータ可読媒体であって、
初期システムパラメータを用いて血液流体除去セッションを開始し、
１つ以上の生理学的パラメータに関する第一のデータセットを取得し
前記第一のデータセットを現時点で最も効果が高いデータセットメモリ内に保存し、
効果が上昇した検索テーブル内の前記初期システムパラメータと前記第一のデータセットとを関連付け、
前記血液流体除去セッションの少なくとも１つのパラメータを調節されたシステムパラメータに達するように調節し、
前記血液流体除去セッションの前記少なくとも１つのパラメータを調節した後に、前記１つ以上の生理学的パラメータに関する第二のデータセットを取得し、
前記第二のデータセットの少なくとも１つの値が前記第一のデータセットの対応する少なくとも１つの値よりも目標値に近い場合、前記現時点で最も効果が高いデータセットメモリ内の前記第一のデータセットを前記第二のデータセットに置き換え、前記第二のデータセットに関するデータを前記効果が上昇した検索テーブルに保存し、前記調節されたシステムパラメータに関するデータと前記第二のデータセットとを関連付ける、
ようになっている血液流体除去装置により実行される指示を含んでいる、コンピュータ可読媒体。
【請求項１５】
血液流体除去システムの使用方法であって、
生理学的パラメータおよび前回の血液流体除去セッション後の経過時間のうちの１つ以上を含む第一のデータを収集するステップと、
前記患者の血液流体除去セッションで採用したシステムパラメータに関する第二のデータを収集するステップと、
収集された前記第一のデータおよび前記第二のデータに基づき、前記システムパラメータを採用した結果として少なくとも１つの生理学的パラメータが改善されたか否かを判定するステップと、
今回のデータの値が、収集された第一のデータの対応する値の所定の範囲内にあるか否かを判定するステップと、
改善をもたらしたシステムパラメータが存在すると判定され、かつ前記今回のデータが前記所定の範囲内にあると判定された場合、前記改善をもたらしたシステムパラメータを採用するステップと
を含む、使用方法。
【請求項１６】
血液流体除去システムであって、
血液流体除去媒体であって、前記媒体に血液が入り、前記血液から流体が除去され、血液が前記媒体を出る、血液流体除去媒体と、
（ｉ）前記媒体が前記血液から流体を除去する速度または（ｉｉ）前記媒体を出る前記血液の電解質濃度もしくはｐＨを制御するよう構成された１つ以上の制御要素と、
１つ以上の生理学的パラメータを監視するよう構成された１つ以上のセンサと、
データパラメータを入力できるよう構成された入力部と、
メモリとプロセッサとを含む制御電子機器であって、前記１つ以上のセンサと作動可能に通信可能であり、かつ前記１つ以上の制御要素および前記入力部と作動可能に連結されている制御電子機器と
を含み、
前記制御電子機器が、請求項１５に記載の使用方法を実施するよう構成されている、血液流体除去システム。
【請求項１７】
前記血液流体除去媒体および前記制御電子機器が血液流体除去装置内に収納されている、請求項１６に記載のシステム。
【請求項１８】
コンピュータ可読媒体をさらに含み、前記コンピュータ可読媒体が、前記制御電子機器に前記使用方法を実施させる指示を含む、請求項１６に記載のシステム。
【請求項１９】
血液流体除去システムであって、
血液流体除去媒体であって、前記媒体に血液が入り、前記血液から流体が除去され、血液が前記媒体を出る血液流体除去媒体と、
（ｉ）前記媒体が前記血液から流体を除去する速度または（ｉｉ）前記媒体を出る前記血液の電解質濃度もしくはｐＨを制御するよう構成された１つ以上の制御要素と、
１つ以上の生理学的パラメータを監視するよう構成された１つ以上のセンサと、
データパラメータを入力できるよう構成された入力部と、
メモリとプロセッサとを含む制御電子機器であって、前記１つ以上のセンサと作動可能に通信可能であり、かつ前記１つ以上の制御要素および前記入力部と作動可能に連結さている制御電子機器と
を含み、前記制御電子機器が、
生理学的パラメータおよび前回の血液流体除去セッション後の経過時間のうちの１つ以上を含む第一のデータを収集し、
前記血液流体除去セッションで採用したシステムパラメータに関する第二のデータを収集し、
収集された前記第一のデータおよび前記第二のデータに基づき、前記システムパラメータを採用した結果として前記少なくとも１つの生理学的パラメータが改善されたか否かを判定し、
今回のデータの値が、収集された第一のデータの対応する値の所定の範囲内にあるか否かを判定し、
改善をもたらしたシステムパラメータが存在すると判定され、かつ前記今回のデータが前記所定の範囲内にあると判定された場合、前記改善をもたらしたシステムパラメータを採用するよう構成されている、血液流体除去システム。
【請求項２０】
コンピュータ可読媒体であって、
生理学的パラメータおよび前回の血液流体除去セッション後の経過時間のうちの１つ以上を含む第一のデータを収集し、
前記血液流体除去セッションで採用したシステムパラメータに関する第二のデータを収集し、
収集された前記第一のデータおよび前記第二のデータに基づき、前記システムパラメータが採用された結果として少なくとも１つの生理学的パラメータが改善されたか否かを判定し、
今回のデータの値が、収集された第一のデータの対応する値の所定の範囲内にあるか否かを判定し、
改善をもたらしたシステムパラメータが存在すると判定され、かつ前記今回のデータが前記所定の範囲内にあると判定された場合、前記改善をもたらしたシステムパラメータを採用する、
ようになっている血液流体除去装置により実行される指示を含んでいる、コンピュータ可読媒体。